(57)【要約】【課題】カジノテーブルに設置される紙幣収納箱の管理を、簡易な構成によって実現可能にするカジノマネジメントシステムを提供する。【解決手段】カジノテーブルＴＢに設置される紙幣収納箱ＢＸに、ＩＣタグ１３が付されている。カジノマネジメントシステムは、ＩＣタグ１３から、紙幣収納箱ＢＸを特定する箱特定情報を少なくとも含む箱情報を読み取るためのＩＣタグリーダー１１と、ＩＣタグリーダー１１とネットワークを介して接続されており、ＩＣタグリーダー１１によって読み取られた箱情報を受信するサーバー２３とを備える。【選択図】図１
2017134580.tif 000002
【特許請求の範囲】
【請求項１】
カジノテーブルに設置される紙幣収納箱に付されたＩＣタグから、当該紙幣収納箱を特定する箱特定情報を少なくとも含む箱情報を読み取るためのＩＣタグリーダーと、
前記ＩＣタグリーダーとネットワークを介して接続されており、前記ＩＣタグリーダーによって読み取られた前記箱情報を受信するサーバーとを備えた
カジノマネジメントシステム。
【請求項２】
請求項１記載のカジノマネジメントシステムにおいて、
前記カジノテーブルに設置される紙幣計数機が、ネットワークを介して、前記サーバーに接続可能に構成されている
ことを特徴とするカジノマネジメントシステム。
【請求項３】
請求項２記載のカジノマネジメントシステムにおいて、
前記紙幣計数機は、紙幣の計数動作を行ったとき、取引金額および取引時刻を少なくとも含むログデータを、前記サーバーに送信し、
前記サーバーは、受信した前記ログデータを、当該カジノテーブルに設置された前記紙幣収納箱の前記箱特定情報と対応付けて、管理する
ことを特徴とするカジノマネジメントシステム。
【請求項４】
請求項２記載のカジノマネジメントシステムにおいて、
前記サーバーは、接続された紙幣計数機について、計数動作を許可するか否かを制御可能であり、
前記サーバーは、前記ＩＣタグリーダーから、前記紙幣収納箱の前記箱特定情報を受信しないときは、当該カジノテーブルに設置された前記紙幣計数機の計数動作を許可しない
ことを特徴とするカジノマネジメントシステム。
【請求項５】
請求項２記載のカジノマネジメントシステムにおいて、
前記紙幣計数機は、前記カジノテーブルに配置されるディーラーが有しているＩＣタグから、当該ディーラーを特定するディーラー特定情報を少なくとも含むディーラー情報を読み取るための第２ＩＣタグリーダーを有している
ことを特徴とするカジノマネジメントシステム。
【請求項６】
請求項５記載のカジノマネジメントシステムにおいて、
前記サーバーは、ネットワークに接続された紙幣計数機について、計数動作を許可するか否かを制御可能であり、
前記サーバーは、前記ＩＣタグリーダーから前記紙幣収納箱の前記箱特定情報を受信しないとき、または、前記第２ＩＣタグリーダーから前記ディーラーの前記ディーラー特定情報を受信しないときは、前記紙幣計数機の計数動作を許可しない
ことを特徴とするカジノマネジメントシステム。
【請求項７】
請求項１〜６のうちいずれか１項記載のカジノマネジメントシステムにおいて、
前記ＩＣタグリーダーは、前記カジノテーブルにおける、前記紙幣収納箱が設置される位置の近傍に設けられている
ことを特徴とするカジノマネジメントシステム。
【請求項８】
請求項１〜６のうちいずれか１項記載のカジノマネジメントシステムにおいて、
前記ＩＣタグリーダーは、複数の前記カジノテーブルを管理しているマネージャーが、携帯する
ことを特徴とするカジノマネジメントシステム。
【請求項９】
上位サーバーと、この上位サーバーに接続された複数の中継ＰＣとを備えたネットワークシステムにおいて、前記複数の中継ＰＣのいずれかに接続して用いられる端末装置であって、
接続先が、第１中継ＰＣから、第２中継ＰＣに変更される場合において、
前記第２中継ＰＣを特定する特定情報を、ユーザ操作を介して、取得し、
前記上位サーバーにアクセスし、取得した前記特定情報と対応する、前記第２中継ＰＣのＩＰアドレスを受信し、
受信したＩＰアドレスを用いて、前記第２中継ＰＣとの通信を開始する
ことを特徴とする端末装置。
【請求項１０】
請求項９記載の端末装置において、
前記端末装置は、カジノテーブルに設置して用いられる紙幣計数機であり、
前記上位サーバーにアクセスし、前記第２中継ＰＣのＩＰアドレスを受信するとき、新たに設置されるカジノテーブルに関する情報を受信する
ことを特徴とする端末装置。
【発明の詳細な説明】
【技術分野】
【０００１】
ここに開示する技術は、カジノにおける紙幣処理の管理を行うためのカジノマネジメントシステムに関する。
【背景技術】
【０００２】
特許文献１では、ＲＦＩＤを使用可能なカジノ通貨、ＲＦＩＤチップトレイ、紙幣検証部、ＲＦＩＤ読込部及びアンテナ、在庫システム及びチップ認証ネットワークを利用した、カジノにおける総合金銭管理システムを開示している。
【先行技術文献】
【特許文献】
【０００３】
【特許文献１】国際公開ＷＯ２０１３／１７７２８６号公報
【発明の概要】
【発明が解決しようとする課題】
【０００４】
カジノテーブルには、ドロップボックスと呼ばれる紙幣収納箱が設置されている。ディーラーは、チップとの交換のために客から受け取った紙幣を、ドロップボックスへ収納する。そして、ゲームが終了した後、ドロップボックスはマネージャーによって回収され、回収されたドロップボックスは計数室に運ばれて、紙幣の集計が行われる。これらの作業は、全て手作業で行われているため、集計時の違算が発生している。また、違算の原因を突き止めることもできない。
【０００５】
また、ドロップボックスは、特定のカジノテーブルに設置される訳ではなく、いろいろなカジノテーブルに設置される。また、システムの導入にあたっては、コスト面から、既存のドロップボックスはそのまま使用したい。
【０００６】
ここに開示する技術は、かかる点に鑑みてなされたものであり、カジノテーブルに設置される紙幣収納箱の管理を、簡易な構成によって実現可能にするカジノマネジメントシステムを提供することを目的とする。
【課題を解決するための手段】
【０００７】
ここに開示する技術は、カジノマネジメントシステムであって、カジノテーブルに設置される紙幣収納箱に付されたＩＣタグから、当該紙幣収納箱を特定する箱特定情報を少なくとも含む箱情報を読み取るためのＩＣタグリーダーと、前記ＩＣタグリーダーとネットワークを介して接続されており、前記ＩＣタグリーダーによって読み取られた前記箱情報を受信するサーバーとを備える。
【０００８】
この構成によると、ＩＣタグリーダーによって、カジノテーブルに設置される紙幣収納箱に付されたＩＣタグから、当該紙幣収納箱を特定する箱特定情報を少なくとも含む箱情報を読み取ることができる。そして、ＩＣタグリーダーによって読み取られた箱情報は、ネットワークを介して、サーバーが受信する。これにより、サーバーは、紙幣収納箱の管理を、集中して行うことが可能になる。
【０００９】
前記カジノマネジメントシステムは、前記カジノテーブルに設置される紙幣計数機が、ネットワークを介して、前記サーバーに接続可能に構成されているのが好ましい。
【００１０】
これにより、カジノテーブルに設置される紙幣計数機も、サーバーによって集中して管理することができる。
【００１１】
前記カジノマネジメントシステムにおいて、前記紙幣計数機は、紙幣の計数動作を行ったとき、取引金額および取引時刻を少なくとも含むログデータを、前記サーバーに送信し、前記サーバーは、受信した前記ログデータを、当該カジノテーブルに設置された前記紙幣収納箱の前記箱特定情報と対応付けて、管理する、のが好ましい。
【００１２】
これにより、紙幣計数機の計数動作に関し、取引金額および取引時刻を少なくとも含むログデータが取得され、サーバーに送信される。そしてサーバーは、ログデータを、紙幣収納箱の箱特定情報と対応づけて、管理する。これにより、紙幣収納箱に収納された紙幣の金額に違算があることを確実に発見でき、また、違算の原因を容易に究明することができる。
【００１３】
前記カジノマネジメントシステムにおいて、前記サーバーは、接続された紙幣計数機について、計数動作を許可するか否かを制御可能であり、前記サーバーは、前記ＩＣタグリーダーから、前記紙幣収納箱の前記箱特定情報を受信しないときは、当該カジノテーブルに設置された前記紙幣計数機の計数動作を許可しない、としてもよい。
【００１４】
これにより、カジノテーブルに設置された紙幣計数機は、サーバーが紙幣収納箱の箱特定情報を受信しないときは、計数動作が許可されない。したがって、紙幣計数機の不要な計数動作を防ぐことが可能になる。
【００１５】
前記カジノマネジメントシステムにおいて、前記紙幣計数機は、前記カジノテーブルに配置されるディーラーが有しているＩＣタグから、当該ディーラーを特定するディーラー特定情報を少なくとも含むディーラー情報を読み取るための第２ＩＣタグリーダーを有している、のが好ましい。
【００１６】
これにより、紙幣計数機が有する第２ＩＣタグリーダーによって、カジノテーブルに配置されるディーラーが有しているＩＣタグから、当該ディーラーを特定するディーラー特定情報を少なくとも含むディーラー情報を読み取ることができる。したがって、紙幣計数機の計数動作に関し、その計数動作を行うディーラーについても、サーバーによって集中して管理することができる。
【００１７】
前記カジノマネジメントシステムにおいて、前記サーバーは、ネットワークに接続された紙幣計数機について、計数動作を許可するか否かを制御可能であり、前記サーバーは、前記ＩＣタグリーダーから前記紙幣収納箱の前記箱特定情報を受信しないとき、または、前記第２ＩＣタグリーダーから前記ディーラーの前記ディーラー特定情報を受信しないときは、前記紙幣計数機の計数動作を許可しない、としてもよい。
【００１８】
これにより、カジノテーブルに設置された紙幣計数機は、サーバーが紙幣収納箱の箱特定情報を受信しないとき、または、サーバーがディーラーのディーラー特定情報を受信しないときは、計数動作が許可されない。したがって、紙幣計数機の不要な計数動作を防ぐことが可能になる。
【００１９】
そして、前記ＩＣタグリーダーは、前記カジノテーブルにおける、前記紙幣収納箱が設置される位置の近傍に設けられている、としてもよい。あるいは、前記ＩＣタグリーダーは、複数の前記カジノテーブルを管理しているマネージャーが、携帯する、としてもよい。
【００２０】
また、ここに開示する技術は、上位サーバーと、この上位サーバーに接続された複数の中継ＰＣとを備えたネットワークシステムにおいて、前記複数の中継ＰＣのいずれかに接続して用いられる端末装置であって、接続先が、第１中継ＰＣから、第２中継ＰＣに変更される場合において、前記第２中継ＰＣを特定する特定情報を、ユーザ操作を介して、取得し、前記上位サーバーにアクセスし、取得した前記特定情報と対応する、前記第２中継ＰＣのＩＰアドレスを受信し、受信したＩＰアドレスを用いて、前記第２中継ＰＣとの通信を開始する。
【００２１】
この構成によると、端末装置は、接続先が第１中継ＰＣから第２中継ＰＣに変更される場合において、上位サーバーにアクセスし、ユーザ操作を介して取得した特定情報と対応する、第２中継ＰＣのＩＰアドレスを受信し、このＩＰアドレスを用いて第２中継ＰＣとの通信を開始する。これにより、ユーザは、新たな接続先の中継ＰＣのＩＰアドレスを知らなくても、その中継ＰＣの特定情報を入力するだけで、端末装置を移動させることができる。すなわち、端末装置の移動が容易になる。
【００２２】
前記端末装置は、カジノテーブルに設置して用いられる紙幣計数機であり、前記上位サーバーにアクセスし、前記第２中継ＰＣのＩＰアドレスを受信するとき、新たに設置されるカジノテーブルに関する情報を受信する、としてもよい。
【００２３】
これにより、カジノテーブルに設置して用いられる紙幣計数機の移動が容易になるとともに、ユーザが、新たに設置されるカジノテーブルに関する情報を入力することが不要になる。
【発明の効果】
【００２４】
本開示によると、カジノマネジメントシステムにおいて、サーバーは、紙幣収納箱の管理を集中して行うことが可能になる。また、端末装置の移動が容易になる。
【図面の簡単な説明】
【００２５】
【図１】カジノマネジメントシステムのシステム構成例
【図２】カジノテーブルの状態の例
【図３】ログデータの一例
【図４】実施形態における端末の移動および設定を説明するための図
【図５】実施形態における真偽不明券発見時における対応を説明するための図
【発明を実施するための形態】
【００２６】
以下、実施の形態について、図面を参照して説明する。
【００２７】
＜カジノマネジメントシステム＞
図１はカジノマネジメントシステムのシステム構成例、図２はカジノテーブルの状態の例を示す図である。図１の構成では、複数（図１の例では６個）のカジノテーブルＴＢが、ピットと呼ばれる単位で管理されている。各カジノテーブルＴＢには、ＩＣタグリーダー１１と、紙幣計数機１２とが設置されており、ＩＣタグリーダー１１および紙幣計数機１２は、ネットワークを介して、ピットサーバー２１に接続されている。ピットサーバー２１は、フロアサーバー２２を経由して、本開示におけるサーバーとしてのメインサーバー２３に接続されている。
【００２８】
各カジノテーブルＴＢには、ディーラーＤＬが配置されている。ディーラーＤＬはそれぞれ、自己を特定するディーラー特定情報を少なくとも含むディーラー情報が記録されたＩＣタグ１４を有している。例えば、ディーラー特定情報の一例は、ディーラーＤＬを特定する番号である。またピットには、複数のカジノテーブルＴＢを管理するピットマネージャーＰＭが配置されている。ピットマネージャーＰＭは、自己を特定する情報が記録されたＩＣタグ２５と、ハンディタイプのＩＣタグリーダー２６とを携帯している。
【００２９】
ディーラーＤＬは、ゲームを始める前に、ドロップボックスと呼ばれる紙幣収納箱ＢＸを、カジノテーブルＴＢの所定位置に設置する。図２の例では、紙幣収納箱ＢＸはカジノテーブルＴＢの天板の裏面側に設置されている。カジノテーブルＴＢの天板には、紙幣の投入口１６が形成されており、投入口１６に投入された紙幣が紙幣収納箱ＢＸ内に溜まるようになっている。また、紙幣収納箱ＢＸにはそれぞれ、当該紙幣収納箱ＢＸを特定する箱特定情報を少なくとも含む箱情報が記録されたＩＣタグ１３が付されている。例えば、箱特定情報の一例は、紙幣収納箱ＢＸを特定する番号である。カジノテーブルＴＢにおいて、ＩＣタグリーダー１１は、紙幣収納箱ＢＸが設置されたとき、それに付されたＩＣタグ１３に記録された情報が受信できる位置に設置されている。図２の例では、カジノテーブルＴＢの脚の側面に、ＩＣタグリーダー１１が設けられている。紙幣収納箱ＢＸがカジノテーブルＴＢに設置されたとき、ＩＣタグ１３がＩＣタグリーダー１１の近傍に位置するように構成されている。また、紙幣計数機１２は、別途、第２ＩＣタグリーダーとしてのＩＣタグリーダー１２ａを有している。ディーラーＤＬは、紙幣計数機１２を動作させる際に、そのＩＣタグリーダー１２ａに自分のＩＣタグ１４の情報を読み込ませる。メインサーバー２３は、ネットワークに接続された紙幣計数機１２について、計数動作を許可するか否かを制御可能であるものとする。
【００３０】
＜運用＞
チップ両替時には、次のような運用がなされる。ディーラーＤＬは、客から紙幣を受け取る。ディーラーＤＬは、保有しているＩＣタグ１４を紙幣計数機１２のＩＣタグリーダー１２ａに認証させる。紙幣計数機１２は、ピットサーバー２１およびフロアサーバー２２を介して、メインサーバー２３に通信する。メインサーバー２３は、紙幣計数機１２を認識し、ディーラーＤＬのディーラー特定情報を受信し、さらに、カジノテーブルＴＢに設置されたＩＣタグリーダー１１から紙幣収納箱ＢＸの箱特定情報を受信する。その後、紙幣計数機１２の計数動作を許可する。例えば、カジノテーブルＴＢに設置された紙幣計数機１２は、メインサーバー２３が紙幣収納箱ＢＸの箱特定情報を受信しないときは、計数動作が許可されない。または、メインサーバー２３がディーラーＤＬのディーラー特定情報受信しないときは、計数動作が許可されない。このような制御によって、紙幣計数機１２の不要な計数動作を防ぐことが可能になる。
【００３１】
その後、ディーラーＤＬは、紙幣計数機１２を動作させて、客から受け取った紙幣を計数する。このときの計数データは、紙幣計数機１２からピットサーバー２１およびフロアサーバー２２を経由して、メインサーバー２３に送信される。計数が終わると、ディーラーＤＬは、計数結果に基づいて、チップを客に渡す。また、計数が完了した紙幣を、投入口１６から紙幣収納箱ＢＸに投入する。
【００３２】
紙幣収納箱ＢＸの回収時には、次のような運用がなされる。回収者、例えばピットマネージャーＰＭが、紙幣収納箱ＢＸをカジノテーブルＴＢから外して回収する。このとき、ＩＣタグリーダー１１は、近傍から紙幣収納箱ＢＸがなくなったことを認識できるので、その情報をピットサーバー２１およびフロアサーバー２２を経由して、メインサーバー２３に送信する。ピットマネージャーＰＭは、回収した紙幣収納箱ＢＸを計数室３０に運ぶ。計数室３０にはＩＣタグリーダー３１が設けられており、このＩＣタグリーダー３１によって、紙幣収納箱ＢＸに付されたＩＣタグ１３の情報を読み取る。そして、紙幣収納箱ＢＸに投入されている紙幣が、計数室３０の紙幣計数機によって計数され、メインサーバー２３において、この計数結果と当該紙幣収納箱ＢＸのログデータとが照合される。違算等の不具合が発見された場合は、ログデータを追跡し、原因を究明する。
【００３３】
図３はログデータの一例である。図３では、ログデータにはそれぞれ、取引No.が付されている。各ログデータは、ピット、ピットマネージャーＰＭ、カジノテーブルＴＢ、紙幣計数機１２、紙幣収納箱ＢＸ、およびディーラーＤＬを特定する情報（ここでは番号）を、それぞれ含む。そして、紙幣計数機１２によって紙幣の計数が行われたときは、ログデータとして、取引時刻と取引金額とが記録されている。また、その他の動作、例えば紙幣計数機１２の設置や取り外し（Bill Counter Set, Bill Counter Reset）、紙幣収納箱ＢＸの設置や取り外し（Drop Box Set, Drop Box Reset）などについても、時刻とその動作内容が記録されている。例えば、図３の例では、取引「１」で紙幣計数機１２が設置されており、取引「２」で紙幣収納箱ＢＸが設置されている。取引「３」−「５」の後、ディーラーＤＬが交代している。また、取引「８」「９」で紙幣計数機１２の入れ替えがなされている。
【００３４】
紙幣収納箱ＢＸ単位で、図３のようなログデータが記録されることによって、回収後の紙幣収納箱ＢＸに正しい金額の紙幣が収納されているか否かを、容易に確認することができる。もし、違算等の不具合が発見された場合は、図３のようなログデータを追跡し、例えば取引時刻と、当該カジノテーブルＴＢの監視カメラの映像とを照合することによって、不具合の原因を容易に究明することができる。
【００３５】
このように、本実施形態によると、ＩＣタグリーダー１１によって、カジノテーブルＴＢに設置される紙幣収納箱ＢＸに付されたＩＣタグ１３から、当該紙幣収納箱ＢＸを特定する箱特定情報を少なくとも含む箱情報を読み取ることができる。そして、ＩＣタグリーダー１１によって読み取られた箱情報は、ネットワークを介して、メインサーバー２３が受信する。これにより、メインサーバー２３は、紙幣収納箱ＢＸの管理を、集中して行うことが可能になる。
【００３６】
また、紙幣収納箱ＢＸは、特定のカジノテーブルＴＢに設置される訳では必ずしもなく、いろいろなカジノテーブルＴＢに設置される。また、システムの導入にあたっては、コスト面から、既存の紙幣収納箱ＢＸはそのまま使用したいというニーズがある。本開示によると、紙幣収納箱ＢＸにＩＣタグ１３を付し、カジノテーブルＴＢにＩＣタグリーダー１１を設置すればよいので、このようなニーズにも応えることができる。
【００３７】
また、本実施形態では、カジノテーブルＴＢに設置される紙幣計数機１２も、メインサーバー２３によって集中して管理することができる。例えば、紙幣計数機１２の計数動作に関し、取引金額および取引時刻を少なくとも含むログデータが取得され、メインサーバー２３に送信される。そしてメインサーバー２３は、ログデータを、紙幣収納箱ＢＸの箱特定情報と対応づけて、管理する。これにより、紙幣収納箱ＢＸに収納された紙幣の金額に違算があることを確実に発見でき、また、違算の原因を容易に究明することができる。
【００３８】
また、本実施形態では、紙幣計数機１２が有するＩＣタグリーダー１２ａによって、カジノテーブルＴＢに配置されるディーラーＤＬが有しているＩＣタグ１４から、当該ディーラーＤＬを特定するディーラー特定情報を少なくとも含むディーラー情報を読み取ることができる。したがって、紙幣計数機１２の計数動作に関し、その計数動作を行うディーラーＤＬについても、メインサーバー２３によって集中して管理することができる。
【００３９】
なお、ここでは、メインサーバー２３は、ピットサーバー２１およびフロアサーバー２２を経由して、ＩＣタグリーダー１１や紙幣計数機１２と通信するものとしたが、カジノマネジメントシステムを構成するネットワークの接続形態は、これに限られるものではなく、どのようなものであってもかまわない。
【００４０】
また、ＩＣタグリーダー１１は、例えばカジノテーブルＴＢの脚の側面に設けられるものとしたが、その設置位置はこれに限られるものではない。すなわち、ＩＣタグリーダー１１は、カジノテーブルＴＢにおいて、紙幣収納箱ＢＸが設置されたとき、それに付されたＩＣタグ１３に記録された情報が受信できる位置に設置されていればよい。あるいは、ＩＣタグリーダー１１をカジノテーブルＴＢに設ける代わりに、複数のカジノテーブルＴＢを管理するピットマネージャーＰＭが、携帯しているＩＣタグリーダー２６を用いて、紙幣収納箱ＢＸに付されたＩＣタグ１３を読み取るようにしてもよい。
【００４１】
＜紙幣計数機のテーブル移動＞
図１のカジノマネジメントシステムでは、紙幣計数機１２とメインサーバー２３との間に、ピットサーバー２１およびフロアサーバー２２が設置されている。このように、多数の端末装置を上位サーバーで一括管理するシステムでは、上位サーバーと端末装置との間に、中継ＰＣを設置する構成が多い。そして、大抵のシステムでは、端末装置は移動することなく運用されるので、中継ＰＣとの接続関係を規定する情報、例えば中継ＰＣのＩＰアドレスは、一度設定すればそれで問題はない。
【００４２】
ところが、カジノテーブルＴＢで使用する紙幣計数機１２は、必要となるのはゲームを行っているときだけである。このため、コスト面を考慮した場合、紙幣計数機１２はカジノテーブルＴＢの台数よりも少ない台数だけ導入し、紙幣計数機１２を適宜、カジノテーブルＴＢ間で移動させる、といった運用が行われる、と予想される。例えば、８００台のカジノテーブルＴＢに対して、紙幣計数機１２を４００台導入する。このような運用では、紙幣計数機１２を移動させるたびに、接続する中継ＰＣが変わるので、その都度、中継ＰＣのＩＰアドレスを入力する必要が生じる。
【００４３】
ところが、ディーラーＤＬ等が、紙幣計数機１２を移動させるたびに、新たに接続する中継ＰＣのＩＰアドレスをいちいち入力することは困難である。すなわち、紙幣計数機１２のような端末装置の移動および設定を、簡易な方法で行える仕組みが要望されるものと予想される。
【００４４】
図４は本実施形態における端末装置の移動および設定を説明するための図である。図４の構成において、端末装置４１は紙幣計数機１２に対応し、中継ＰＣ４２はピットサーバー２１に対応し、上位サーバー４０はメインサーバー２３に対応する。ここで、上位サーバー４０は、中継ＰＣ４２の名称（Ａ，Ｂ，Ｃ）とそのＩＰアドレスとの対応関係をデータベースに記憶しており、また、各端末装置４１は、初期設置作業において、上位サーバー４０のＩＰアドレスを取得しているものとする。ここで、中継ＰＣ４２の名称（Ａ，Ｂ，Ｃ）は、中継ＰＣ４２を特定するための特定情報の一例である。
【００４５】
いま、端末装置の１つである端末「１」は、午前中の運用では、中継ＰＣ４２（Ａ）に接続されていたが、午後は、別のカジノテーブルＴＢに移動させて、中継ＰＣ４２（Ｃ）に接続するものとする。ディーラーＤＬは、端末「１」を新たなカジノテーブルＴＢに移動させる（１）。そして、端末「１」の電源をＯＮにすると、表示部に設置情報確認画面が表示される。ディーラーＤＬは、その画面で、接続する中継ＰＣ４２の情報を変更する（２）。例えば、接続する中継ＰＣ４２の名称を「Ａ」から「Ｃ」に変更する。端末「１」は、設置情報の変更を受けて、一時的に上位サーバー４０と接続してアクセスし、中継ＰＣ４２（Ｃ）のＩＰアドレスを受信する（３）。その後、中継ＰＣ４２（Ｃ）との通信を確立し、ログデータの送信などを開始する（４）。
【００４６】
なお、中継ＰＣ４２を上位サーバー４０に接続するときには、中継ＰＣ４２の名称とＩＰアドレスとを通知するようにする。これにより、上位サーバー４０は、中継ＰＣ４２の名称とそのＩＰアドレスとの対応関係をデータベースで管理することができる。また、端末装置４１の初期設置の際には、保守作業員が、端末装置４１を接続する中継ＰＣ４２のＩＰアドレスを入力する。このとき、接続した中継ＰＣ４２から、上位サーバー４０のＩＰアドレスを端末装置４１に取得するようにすればよい。
【００４７】
なお、端末装置４１が紙幣計数機であるときは、設置情報の変更を受けて一時的に上位サーバー４０と通信を行うとき、当該紙幣計数機が設置されるカジノテーブルＴＢのゲームに関する情報、例えば、ゲームの種類や、取引金額の最大値および最小値などを受信してもよい。そして、受信した情報に基づいて、自動的に、自己の設定を変更するようにしてもよい。これにより、ディーラーＤＬ等が、新たに設置されるカジノテーブルＴＢに関する情報を端末装置４１に入力することが不要になる。
【００４８】
上述した構成によると、端末装置４１は、接続先の中継ＰＣ４２が変更される場合において、上位サーバー４０にアクセスし、ユーザ操作を介して取得した名称と対応する中継ＰＣ４２のＩＰアドレスを受信し、このＩＰアドレスを用いて、新たな中継ＰＣ４２との通信を開始する。これにより、ユーザは、新たな接続先の中継ＰＣ４２のＩＰアドレスを知らなくても、その中継ＰＣ４２の名称を入力するだけで、端末装置４１を移動させることができる。すなわち、端末装置４１の移動が容易になる。
【００４９】
なお、ここでは、中継ＰＣの名称を、中継ＰＣを特定するための特定情報として用いるものとしたが、これに限られるものではない。例えば、中継ＰＣとピットとが対応している場合には、ピット番号を、中継ＰＣを特定するための特定情報として用いてもかまわない。
【００５０】
＜真偽不明券発見時の金種ロック＞
紙幣計数機は、識別機を通して紙幣の金種の真偽を判定する。真券と確定できない場合は、真偽不明券として処理する。本実施形態のカジノマネジメントシステムでは、真偽不明券が頻発したとき、その金種を自動的に使用不可にすることも可能である。
【００５１】
図５は本実施形態における真偽不明券発見時における対応を説明するための図である。図５において、各カジノテーブルＴＢには紙幣計数機１２が設置されており、ピットサーバー２１は紙幣計数機１２をピット単位でまとめて管理している。
【００５２】
いま、紙幣計数機１２（Ｎｏ．１）が真偽不明券を検知しリジェクトしたとする（１）。紙幣計数機１２は、ピットサーバー２１を介して、メインサーバー２３へ真偽不明券検知を通知する（２）。このときの通知情報には、真偽不明券の情報（金種、金額、年式など）が含まれる。メインサーバー２３は、通知された真偽不明券の情報を蓄積し、統計処理を行う（３）。そして、真偽不明券情報が所定の基準を満たすとき、該当金種を計数禁止とする（４：金種ロック判定）。所定の基準としては、例えば、複数のカジノテーブルＴＢにおいて所定枚数以上の真偽不明券が検出された、同一カジノテーブルＴＢにおいて連続して検出された、などが考えられる。
【００５３】
そして、メインサーバー２３は、金種ロック判定を行ったとき、ピットサーバー２１経由で各紙幣計数機１２に対して、該当金種の計数禁止を指示する（５）。また、このとき、ピットマネージャーＰＭやカジノの管理者に対して、メール通報する（６）。紙幣計数機１２は、金種ロック判定された金種を表示部に表示して、客に該当金種が使用できないことを提示する（７）。
【００５４】
このような構成によって、真偽不明券が発見されたときの無用なトラブルを未然に回避することができる。
【符号の説明】
【００５５】
１１  ＩＣタグリーダー
１２  紙幣計数機
１２ａ  ＩＣタグリーダー（第２ＩＣタグリーダー）
１３  ＩＣタグ
１４  ＩＣタグ
２３  メインサーバー（サーバー）
４０  上位サーバー
４１  端末装置
４２  中継ＰＣ
ＢＸ  紙幣収納箱
ＤＬ  ディーラー
ＰＭ  ピットマネージャー
ＴＢ  カジノテーブル
【図１】
2017134580.tif 000003
【図２】
2017134580.tif 000004
【図３】
2017134580.tif 000005
【図４】
2017134580.tif 000006
【図５】
2017134580.tif 000007